(57)【要約】【課題】盤状のマスクを立てた状態で使うことができ、また、立てる必要のないときは従来同様に上を向けて置いた状態でも使用可能であり、さらに、吊り下げることも可能な、使用法を限定しない盤状マスクの立て姿勢保持装置を提供する。【請求項１】理容美容技術及びメイク技術の習得に使用するために立体的に形成された顔面の形状を有し、全体としてはほぼ盤状に形成されている、盤状マスクを立てた姿勢に保持するための装置として、マスク本体１４の背面の下部に設けられた、係合部１５を有するアダプター受け１６と、上記係合部と係合して一体となるように設けられた係合相手部２０を有するとともに、盤状マスクを立てた姿勢に保持するために予め用意された、取り付け装置の基軸部を嵌合させる基軸受け部２１を有するアダプター１９とから成り、基軸受け部は、係合相手部の背部に突き出した部分を有していて、その部分２４が、マスク本体の下端部２５とともにマスク本体を自立させる支持部となる。【選択図】          図１
0003130548.tif 000002
【実用新案登録請求の範囲】
【請求項１】
理容美容技術及びメイク技術の習得に使用するために立体的に形成された顔面の形状を有し、全体としてはほぼ盤状に形成されている、盤状マスクを立てた姿勢に保持するための装置であって、
マスク本体の背面の下部に設けられた、係合部を有するアダプター受けと、
上記係合部と係合して一体となるように設けられた係合相手部を有するとともに、盤状マスクを立てた姿勢に保持するために予め用意された、取り付け装置の基軸部を嵌合させる基軸受け部を有するアダプターとから成り、
基軸受け部は、係合相手部の背部に突き出した部分を有していて、その部分が、マスク本体の下端部とともにマスク本体を自立させる支持部となる
盤状マスクの立て姿勢保持装置。
【請求項２】
アダプター受けの係合部は、薄板状のアダプターの左右両側を係合相手部として挿入可能なスリット状であり、アダプター受けの係合部と、アダプターの係合相手部とは、上方へ向けて先すぼまりになっており、マスク本体を上方からアダプターに係合させることにより、先すぼまりの斜辺で係合を生じるように構成された請求項１記載の盤状マスクの立て姿勢保持装置。
【請求項３】
マスク本体は、盤状マスクを吊り下げるための係止部をその上部に有している請求項１記載の盤状マスクの立て姿勢保持装置。
【考案の詳細な説明】
【技術分野】
【０００１】
本考案は、理容美容技術及びメイク技術の習得に使用するために立体的に形成された顔面の形状を有し、全体としてはほぼ盤状に形成されている、盤状マスクを立てた姿勢に保持するための装置に関するものである。
【背景技術】
【０００２】
立体的に形成された顔面の形状を有し、理容美容技術及びメイク技術の習得に使用されるマスクは公知であり、特別新規なものというわけではない。この用途には、実開平４−１７７１４号や、実用新案登録第３０５２６９７号に見られるような、全頭型のいわゆるマネキンヘッドも用いられるが、実用新案登録第３１１９７８６号に見られるように、顔の部分だけをかたどったマスクないしは面状のものも多数用いられている。
【０００３】
このマスク状のものは、顔の部分は立体的に形成されているが、全体としては平たく、ほぼ盤状といって良い形態を有しており、従って、盤状のマスクはテーブルや台に上を向けた状態で置いて使用されることになる。このような盤状のマスクを立てた状態で使おうとしても、立てた姿勢を保持することができず、また、前記マネキンヘッド用のクランプ装置に取り付けることもできないので不便である。なお、クランプ装置には抜け止め機構を有しているものと有していない通常のクランプヘッドのものがある。
【０００４】
【特許文献１】実開平４−１７７１４号
【特許文献２】実用新案登録第３０５２６９７号
【特許文献３】実用新案登録第３１１９７８６号
【考案の開示】
【考案が解決しようとする課題】
【０００５】
本考案は前記の点に着目してなされたものであり、その課題は、盤状のマスクを立てた状態で使うことができる盤状マスクの立て姿勢保持装置を提供することである。また、本考案の他の課題は、立てる必要のないときは従来同様に上を向けて置いた状態でも使用可能であり、さらに、吊り下げることも可能な、使用法を限定しない盤状マスクの立て姿勢保持装置を提供することである。
【課題を解決するための手段】
【０００６】
前記の課題を解決するため、本考案は、理容美容技術及びメイク技術の習得に使用するために立体的に形成された顔面の形状を有し、全体としてはほぼ盤状に形成されている、盤状マスクを立てた姿勢に保持するための装置について、マスク本体の背面の下部に設けられた、係合部を有するアダプター受けと、上記係合部と係合して一体となるように設けられた係合相手部を有するとともに、盤状マスクを立てた姿勢に保持するために予め用意された、取り付け装置の基軸部を嵌合させる基軸受け部を有するアダプターとから成り、基軸受け部は、係合相手部の背部に突き出した部分を有していて、その部分が、マスク本体の下端部とともにマスク本体を自立させる支持部となるように構成するという手段を講じたものである（請求項１）。
【０００７】
本考案の盤状マスクの立て姿勢保持装置に用いられる盤状マスクは、立体的な顔面の形状を有する一方、全体としてはほぼ盤状を呈するものである。このような形態の盤状マスクは、立体的な顔面の形状の部分を有する一面（正面）と、その裏側（背面）の平板状の部分から成る。盤状マスクの本体は、例えば正面では立体的に形成された顔面の形状が背面では凹部になっていることがあるが、その場合には、板状の部材を重ねることにより平板状の背面を形成しておくことが望ましい。
【０００８】
このようなマスク本体の、ほぼ平盤状に形成されている背面の下部に、係合部を有するアダプター受けを設ける。アダプター受けとしては、マスク本体に後付けする構造や、マスク本体に作り付けにした構造を採用可能である。マスク本体に後付けする構造を取る場合、マスク本体に、例えば両面接着テープや接着剤などを用いて取り付けることができるので、平板状の背面を有するものであれば、あらゆるマスク本体を本考案に使用することができる。
【０００９】
アダプター受けに対しては、上記係合部と係合して一体となるように設けられた係合相手部を有するとともに、盤状マスクを立てた姿勢に保持するために予め用意された、取り付け装置の基軸部を嵌合させる基軸受け部を有するアダプターを組み合わせて、本考案の装置が構成される。係合部と係合相手部とは、相互に係合して一体に成る関係にあるもので、例えば突部と溝などから構成される。
【００１０】
アダプター受けの係合部は、薄板状のアダプターの左右両側（突部）を係合相手部として挿入可能なスリット状（溝）である。アダプター受けの係合部と、アダプターの係合相手部とは、上方へ向けて先すぼまりになっており、マスク本体を上方からアダプターに係合させることにより、先すぼまりの斜辺において係合を生じるように構成されていることは望ましい形態である（請求項２）。
【００１１】
係合相手部を薄板状とすることにより、係合部もスリット状となるので、係合部がマスク本体の背面に出っ張らず、上を向けて置いた状態でも安定する。また、請求項２における先すぼまりとは、テーパー形状のように、先方（上方）が元方（下方）よりも小さくすぼまっている形態を意味する。このようにして先すぼまりの斜辺がいわばストッパーになり、係合を生じるものである。ストッパーにより、アダプター受けとアダプターとの係合位置を規定する斜辺以外の係合は請求項１に含まれる。
【００１２】
このような係合相手部は、盤状マスクを立てた姿勢に保持するために予め用意された、取り付け装置の基軸部を嵌合させる基軸受け部を有する、アダプターに設けられている。即ちアダプターは、マスク本体と取り付け装置の間において夫々を一体的に結合する役割を果たすものであるが、それだけではなく、基軸受け部は、係合相手部の背部に突き出した部分を有していて、その部分が、マスク本体の下端部とともにマスク本体を自立させる際の支持部となる。
【００１３】
本考案では、マスク本体は、盤状マスクを吊り下げるための係止部をその上部に有するものとすることができる（請求項３）。係止部として最も簡単なのは、貫通した孔であるが、この孔は、マスク本体が平板を裏打ちして形成された構造を有している場合、平板にだけ設けて、顔面の形状を形成している層には、後から、必要に応じて設けることができる。なお、壁に掛けた状態でも十分安定する。
【考案の効果】
【００１４】
本考案は以上のように構成されかつ作用するものであるから、盤状のマスクを立てた状態で使うことができる盤状マスクの立て姿勢保持装置を提供することができる。また、本考案によれば、立てる必要のないときは従来同様に上を向けて置いた状態でも使用可能であり、さらに、吊り下げることも可能な、使用法を限定しない盤状マスクの立て姿勢保持装置を提供することができるという効果を奏する。
【考案を実施するための最良の形態】
【００１５】
以下図示の実施形態を参照しつつ本考案をより詳細に説明する。図１は、本考案に係る盤状マスクの立て姿勢保持装置１０の一例を示すもので、図３に示したような立体的な形状の顔面の部分１１を有する一面（正面）１２と、その裏側（背面）の平板状の部分１３から成る、盤状マスクの本体１４を有している。
【００１６】
立体的な顔面の形状を有する一面１２は人間の皮膚よりもやや強い強度を持つ、軟質の樹脂から成る。これに対して平板状の部分１３は、立体的な形状の顔面部分の背後に位置して一面１２と一体化しているとともに、盤状マスクに実用強度を与えて扱い易くするものであり、丈夫で剛性のあるプラスチック板、紙製のボード、木版などを使用することもできる。
【００１７】
マスク本体１４の平板状の背面の下部に、係合部１５を有するアダプター受け１６を設ける。例示のアダプター受け１６は、マスク本体１４に両面テープによる接着を固定手段１７として後付けする構造である。なお、固定手段１７としては、両面テープによる接着のほか、接着剤を用いる接着、或いは、フックとループから成る面ファスナー、その他公知のあらゆる固定手段を使用することができる。上記係合部１５には、それと係合して一体となるように設けられた係合相手部２０が係合する。なお、１８はリブであり、係合部１５と係合相手部２０の設けられている薄板間に介在してがた付きを吸収する。
【００１８】
図示のアダプター受け１６の係合部１５は薄板状部材からなるアダプター受け１６の左右両側にスリット状に対向して設けられており、薄板状のアダプター１９の左右両側を係合相手部２０として挿入可能に設けられている。アダプター受け１６の係合部１５と、アダプター１９の係合相手部２０とは、上方へ向けてテーパー状に形成されているので夫々の斜辺で係合を生じる。
【００１９】
アダプター１９は、盤状マスクを立てた姿勢に保持するために予め用意された、取り付け装置２２の基軸部２３を嵌合させる基軸受け部２１を有する。基軸受け部２１はテーパー状の軸から成る基軸部２３を上から嵌合させたときに、テーパー面で係合を生じるもので、図示した取り付け装置２２は、前記マネキンヘッド用のクランプ装置（図５Ｃ参照）の一部でもあり、球継手による可動構造を有しているので、盤状マスクの向きを前後左右へ自由自在に変えることができる。なお、基軸部２３のテーパー面には係合溝２３ａが複数個形成されていて、基軸受け部２１に形成されている突条２１ａと係合する位置に盤状マスクの向きを規定する。また、係合溝２３ａの間の面２３ｂは基軸受け部２１の縦すじ２１ｂと接触可能に設けられている（図４参照）。
【００２０】
基軸受け部２１は、係合相手部２０の背部に突き出した部分になっており、さらにその下端部２４がマスク本体１４の下端部２５とともにマスク本体１４を自立させる支持部となる（図４Ｂ参照）。また、本考案では、マスク本体１４には、盤状マスクを吊り下げて使用するための係止部２６をその上部に設けることができる。図示の係止部２６は、貫通した孔である。この孔は、図示のマスク本体１４が平板を裏打ちして形成された構造を有しているので、平板にだけ設け、軟質のプラスチックから成る一面１２の部分は刺し通せる構成になっている。
【００２１】
図５は、本考案に係る装置１０の変形例を示すもので、マスク本体１４に作り付けにしたアダプター受け１６′を有している。アダプター受け１６′は、係合部１５′及びリブ１８′と共にマスク本体１４の裏面に型成形され、一体化しており、改めて固定手段により取り付ける必要がない。その他の構成は前記の例と同様で良いので符号を援用し、詳細な説明は省略する。
【００２２】
このように構成された、本考案の盤状マスクの立て姿勢保持装置１０では、マスク本体１４の平板状の部分１３に固定手段１７を用いて薄板状のアダプター受け１６を固定し、その係合部１５に、アダプター１９を左右両側の係合相手部２０にて係合させて取り付ける（図２参照）。ここで、係合部１５と係合相手部２０の係合状態は、図４に詳細に示してあるとおりの嵌合状態になる。変形例の場合もアダプター受け１６′の係合部１５′にアダプター１９を左右両側の係合相手部２０にて係合させて取り付けことは、全く同様である。
【００２３】
従って、本考案の盤状マスクの立て姿勢保持装置１０は、図６Ａに示すように、マネキンヘッド用のクランプ装置を使用して、ほぼ立てた姿勢に保持することができ、また、図６Ｂに示すように、アダプター１９の背部に突き出した部分の下端部２４を支えとして、立てかけた姿勢を取ることも可能であり、さらに、図６Ｃに示すように、フック２７に吊りさげて使用することができる。
【図面の簡単な説明】
【００２４】
【図１】本考案に係る盤状マスクの立て姿勢保持装置の１例を示す分解斜視図。
【図２】同じく背面側の斜視図。
【図３】同じく全体を示すもので、Ａは正面図、Ｂは中央縦断面図。
【図４】本考案装置の要部を示すもので、Ａは横断面図、Ｂは縦断面図。
【図５】本考案に係る盤状マスクの立て姿勢保持装置の変形例を示す分解斜視図。
【図６】本考案装置の使用状態を示すもので、Ａはクランプ装置を使用する例を示す側面図、Ｂは立てかける例を示す側面図、Ｃは吊り下げる例を示す斜視図。
【符号の説明】
【００２５】
１０  盤状マスクの立て姿勢保持装置
１１  立体的な形状の顔面の部分
１２  一面
１３  平板状の部分
１４  マスク本体
１５、１５′  係合部
１６、１６′  アダプター受け
１７  固定手段
１８、１８′  リブ
１９  アダプター
２０  係合相手部
２１  基軸受け部
２２  取り付け装置
２３  基軸部
２４  下端部
２５  下端部
２６  係止部
【図１】
0003130548.tif 000003
【図２】
0003130548.tif 000004
【図３】
0003130548.tif 000005
【図４】
0003130548.tif 000006
【図５】
0003130548.tif 000007
【図６】
0003130548.tif 000008